【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
被写体光像から撮像素子を介して画像を得る画像取得部と、
前記画像取得部により得られた画像を表示する画像表示部と、
合焦用のフォーカス枠を前記画像表示部に表示されている画像上に重畳表示するフォーカス枠表示制御手段と、
前記フォーカス枠内の画像が合焦するようにフォーカスレンズを駆動制御する合焦制御手段と、を備えた撮像装置であって、
前記画像中の所定の被写体形状を識別認識する画像認識処理手段と、
所定のタイミングを指示するタイミング指示手段と、
前記フォーカス枠の状態を変化可能に生成するフォーカス枠生成手段と、を備え、
前記フォーカス枠生成手段は、画像認識処理手段により識別認識された被写体形状に基づいてフォーカス枠の状態を確定させ、
前記フォーカス枠表示制御手段は、前記フォーカス枠生成手段により生成されたフォーカス枠を前記画像表示部に表示し、
前記合焦制御手段は、前記タイミング指示手段により指示された所定のタイミングのときに前記画像表示部に表示されているフォーカス枠内の画像が合焦するようにフォーカスレンズを駆動制御する
ことを特徴とする撮像装置。
【請求項２】
前記画像中の所定の被写体を選択指示する指示手段を備え、
前記画像認識処理手段は、前記指示手段により選択指示された被写体の形状を識別認識することを特徴とする請求項１に記載の撮像装置。
【請求項３】
前記フォーカス枠表示制御手段は、前記画像認識処理手段により識別認識された被写体上に、前記フォーカス枠生成手段により生成されたフォーカス枠を重畳表示することを特徴とする請求項１または２に記載の撮像装置。
【請求項４】
前記フォーカス枠表示制御手段は、被写体形状とフォーカス枠とが一致するように重畳表示することを特徴とする請求項３に記載の撮像装置。
【請求項５】
前記画像表示部は、前記画像取得部により画像が得られる毎に、前記画像取得部により得られた画像を順次更新表示し、
前記画像認識処理手段は、前記更新表示される画像中の所定の被写体形状を識別認識し、
前記フォーカス枠生成手段は、前記画像認識処理手段により被写体形状が識別認識される毎に、新たに識別認識された被写体形状に対応するように、前記被写体形状に基づいて新たなフォーカス枠を生成し、
前記フォーカス枠表示制御手段は、前記フォーカス枠生成手段により新たなフォーカス枠が生成される毎に、前記フォーカス枠を更新表示することを特徴とする請求項１から４の何れかに記載の撮像装置。
【請求項６】
被写体光像から撮像素子を介して画像を得る画像取得部と、
前記画像取得部により得られた画像を表示する画像表示部と、
合焦用のフォーカス枠を前記画像表示部に表示されている画像上に重畳表示するフォーカス枠表示制御手段と、
前記フォーカス枠内の画像が合焦するようにフォーカスレンズを駆動制御する合焦制御手段と、を備えた撮像装置であって、
所定の指示を入力する入力手段と、
所定のタイミングを指示するタイミング指示手段と、
前記フォーカス枠の状態を変化可能に生成するフォーカス枠生成手段と、を備え、
前記フォーカス枠生成手段は、前記入力手段を介した指示に基づいてフォーカス枠の状態を変化させ、
前記フォーカス枠表示制御手段は、前記フォーカス枠生成手段により生成されたフォーカス枠を前記画像表示部に表示し、
前記合焦制御手段は、前記タイミング指示手段により指示された所定のタイミングのときに前記画像表示部に表示されているフォーカス枠内の画像が合焦するようにフォーカスレンズを駆動制御する
ことを特徴とする撮像装置。
【請求項７】
前記フォーカス枠生成手段は、前記入力手段を介した指示に基づいてフォーカス枠を回転させることを特徴とする請求項６に記載の撮像装置。
【請求項８】
前記フォーカス枠生成手段は、フォーカス枠のパターンを予め登録した枠パターン登録メモリを備え、
現在選択しているフォーカス枠を、前記入力手段を介した指示に基づいて前記枠パターン登録メモリから読み出した新たなフォーカス枠のパターンに置換することを特徴とする請求項６に記載の撮像装置。
【請求項９】
前記フォーカス枠生成手段は、前記入力手段を介した指示に基づいてフォーカス枠のサイズを伸縮させることを特徴とする請求項６に記載の撮像装置。
【請求項１０】
前記フォーカス枠表示制御手段は、前記入力手段を介した指示に基づいて前記画像表示部の所定の位置にフォーカス枠を移動表示させることを特徴とする請求項６に記載の撮像装置。
【請求項１１】
被写体光像から撮像素子を介して得られた画像を表示する画像表示工程と、
合焦用のフォーカス枠を前記画像上に重畳表示するフォーカス枠表示工程と、
前記フォーカス枠内の画像が合焦するようにフォーカスレンズを駆動制御する合焦制御工程と、
を有するフォーカス制御方法であって、
前記画像中の所定の被写体形状を識別認識する画像認識処理工程と、
所定のタイミングを指示するタイミング指示工程と、
前記フォーカス枠の状態を変化可能に生成するフォーカス枠生成工程と、を有し
前記フォーカス枠生成工程は、画像認識処理手段により識別認識された被写体形状に基づいてフォーカス枠の状態を確定させ、
前記フォーカス枠表示制御工程は、前記フォーカス枠生成工程により生成されたフォーカス枠を前記画像上に重畳表示し、
前記合焦制御工程は、前記タイミング指示工程により指示された所定のタイミングのときに表示されているフォーカス枠内の画像が合焦するようにフォーカスレンズを駆動制御することを特徴とするフォーカス制御方法。
【請求項１２】
被写体光像から撮像素子を介して得られた画像を表示する画像表示工程と、
合焦用のフォーカス枠を前記画像上に重畳表示するフォーカス枠表示工程と、
前記フォーカス枠内の画像が合焦するようにフォーカスレンズを駆動制御する合焦制御工程と、
を有するフォーカス制御方法であって、
所定の指示を入力する入力工程と、
所定のタイミングを指示するタイミング指示工程と、
前記フォーカス枠の状態を変化可能に生成するフォーカス枠生成工程と、を有し、
前記フォーカス枠生成工程は、前記入力工程による所定の指示に基づいてフォーカス枠の状態を変化させ、
前記フォーカス枠表示制御工程は、前記フォーカス枠生成工程により生成されたフォーカス枠を前記画像上に重畳表示し、
前記合焦制御工程は、前記タイミング指示工程により指示された所定のタイミングのときに表示されているフォーカス枠内の画像が合焦するようにフォーカスレンズを駆動制御することを特徴とするフォーカス制御方法。
【請求項１３】
コンピュータに、
被写体光像から撮像素子を介して得られた画像を表示させる画像表示制御手段と、
合焦用のフォーカス枠を前記画像上に重畳表示させるフォーカス枠表示制御手段と、
前記フォーカス枠内の画像が合焦するようにフォーカスレンズを駆動制御させる合焦制御手段と、
を実行させるフォーカス制御プログラムであって、
前記画像中の所定の被写体形状を識別認識する画像認識処理手段と、
所定のタイミングを指示するタイミング指示手段と、
前記フォーカス枠の状態を変化可能に生成するフォーカス枠生成手段と、を実行させ、
前記フォーカス枠生成手段は、画像認識処理手段により識別認識された被写体形状に基づいてフォーカス枠の状態を確定させ、
前記フォーカス枠表示制御手段は、前記フォーカス枠生成手段により生成されたフォーカス枠を前記画像表示部に表示させ、
前記合焦制御手段は、前記タイミング指示手段により指示された所定のタイミングのときに前記画像表示部に表示されているフォーカス枠内の画像が合焦するようにフォーカスレンズを駆動制御させることを特徴とするフォーカス制御プログラム。
【請求項１４】
コンピュータに、
被写体光像から撮像素子を介して得られた画像を表示させる画像表示制御手段と、
合焦用のフォーカス枠を前記画像上に重畳表示させるフォーカス枠表示制御手段と、
前記フォーカス枠内の画像が合焦するようにフォーカスレンズを駆動制御させる合焦制御手段と、
を実行させるフォーカス制御プログラムであって、
所定の指示を入力させる入力手段と、
所定のタイミングを指示させるタイミング指示手段と、
前記フォーカス枠の状態を変化可能に生成させるフォーカス枠生成手段と、を実行させ、
前記フォーカス枠生成手段は、前記入力手段により入力された指示に基づいてフォーカス枠の状態を変化させ、
前記フォーカス枠表示制御手段は、前記フォーカス枠生成手段により生成されたフォーカス枠を前記画像上に重畳表示させ、
前記合焦制御手段は、前記タイミング指示手段により指示された所定のタイミングのときに前記画像表示部に表示されているフォーカス枠内の画像が合焦するようにフォーカスレンズを駆動制御させることを特徴とするフォーカス制御プログラム。
【手続補正２】
【補正対象書類名】明細書
【補正対象項目名】０００６
【補正方法】変更
【補正の内容】
【０００６】
上記課題を解決するために、請求項１に記載の発明は、被写体光像から撮像素子を介して画像を得る画像取得部と、前記画像取得部により得られた画像を表示する画像表示部と、合焦用のフォーカス枠を前記画像表示部に表示されている画像上に重畳表示するフォーカス枠表示制御手段と、前記フォーカス枠内の画像が合焦するようにフォーカスレンズを駆動制御する合焦制御手段と、を備えた撮像装置であって、前記画像中の所定の被写体形状を識別認識する画像認識処理手段と、所定のタイミングを指示するタイミング指示手段と、前記フォーカス枠の状態を変化可能に生成するフォーカス枠生成手段と、を備え、前記フォーカス枠生成手段は、画像認識処理手段により識別認識された被写体形状に基づいてフォーカス枠の状態を確定させ、前記フォーカス枠表示制御手段は、前記フォーカス枠生成手段により生成されたフォーカス枠を前記画像表示部に表示し、前記合焦制御手段は、前記タイミング指示手段により指示された所定のタイミングのときに前記画像表示部に表示されているフォーカス枠内の画像が合焦するようにフォーカスレンズを駆動制御することを特徴とする撮像装置とした。
【手続補正３】
【補正対象書類名】明細書
【補正対象項目名】０００７
【補正方法】変更
【補正の内容】
【０００７】
また、請求項２に記載の発明は、前記画像中の所定の被写体を選択指示する指示手段を備え、前記画像認識処理手段は、前記指示手段により選択指示された被写体の形状を識別認識することを特徴とする請求項１に記載の撮像装置とした。
【手続補正４】
【補正対象書類名】明細書
【補正対象項目名】０００８
【補正方法】変更
【補正の内容】
【０００８】
また、請求項３に記載の発明は、前記フォーカス枠表示制御手段は、前記画像認識処理手段により識別認識された被写体上に、前記フォーカス枠生成手段により生成されたフォーカス枠を重畳表示することを特徴とする請求項１または２に記載の撮像装置とした。
【手続補正５】
【補正対象書類名】明細書
【補正対象項目名】０００９
【補正方法】変更
【補正の内容】
【０００９】
また、請求項４に記載の発明は、前記フォーカス枠表示制御手段は、被写体形状とフォーカス枠とが一致するように重畳表示することを特徴とする請求項３に記載の撮像装置とした。
【手続補正６】
【補正対象書類名】明細書
【補正対象項目名】００１０
【補正方法】変更
【補正の内容】
【００１０】
また、請求項５に記載の発明は、前記画像表示部は、前記画像取得部により画像が得られる毎に、前記画像取得部により得られた画像を順次更新表示し、前記画像認識処理手段は、前記更新表示される画像中の所定の被写体形状を識別認識し、前記フォーカス枠生成手段は、前記画像認識処理手段により被写体形状が識別認識される毎に、新たに識別認識された被写体形状に対応するように、前記被写体形状に基づいて新たなフォーカス枠を生成し、前記フォーカス枠表示制御手段は、前記フォーカス枠生成手段により新たなフォーカス枠が生成される毎に、前記フォーカス枠を更新表示することを特徴とする請求項１から４の何れかに記載の撮像装置とした。
【手続補正７】
【補正対象書類名】明細書
【補正対象項目名】００１１
【補正方法】変更
【補正の内容】
【００１１】
また、請求項６に記載の発明は、被写体光像から撮像素子を介して画像を得る画像取得部と、前記画像取得部により得られた画像を表示する画像表示部と、合焦用のフォーカス枠を前記画像表示部に表示されている画像上に重畳表示するフォーカス枠表示制御手段と、前記フォーカス枠内の画像が合焦するようにフォーカスレンズを駆動制御する合焦制御手段と、を備えた撮像装置であって、所定の指示を入力する入力手段と、所定のタイミングを指示するタイミング指示手段と、前記フォーカス枠の状態を変化可能に生成するフォーカス枠生成手段と、を備え、前記フォーカス枠生成手段は、前記入力手段を介した指示に基づいてフォーカス枠の状態を変化させ、前記フォーカス枠表示制御手段は、前記フォーカス枠生成手段により生成されたフォーカス枠を前記画像表示部に表示し、前記合焦制御手段は、前記タイミング指示手段により指示された所定のタイミングのときに前記画像表示部に表示されているフォーカス枠内の画像が合焦するようにフォーカスレンズを駆動制御することを特徴とする撮像装置とした。
【手続補正８】
【補正対象書類名】明細書
【補正対象項目名】００１２
【補正方法】変更
【補正の内容】
【００１２】
また、請求項７に記載の発明は、前記フォーカス枠生成手段は、前記入力手段を介した指示に基づいてフォーカス枠を回転させることを特徴とする請求項６に記載の撮像装置とした。
【手続補正９】
【補正対象書類名】明細書
【補正対象項目名】００１３
【補正方法】変更
【補正の内容】
【００１３】
また、請求項８に記載の発明は、前記フォーカス枠生成手段は、フォーカス枠のパターンを予め登録した枠パターン登録メモリを備え、現在選択しているフォーカス枠を、前記入力手段を介した指示に基づいて前記枠パターン登録メモリから読み出した新たなフォーカス枠のパターンに置換することを特徴とする請求項６に記載の撮像装置とした。
【手続補正１０】
【補正対象書類名】明細書
【補正対象項目名】００１４
【補正方法】変更
【補正の内容】
【００１４】
また、請求項９に記載の発明は、前記フォーカス枠生成手段は、前記入力手段を介した指示に基づいてフォーカス枠のサイズを伸縮させることを特徴とする請求項６に記載の撮像装置とした。
【手続補正１１】
【補正対象書類名】明細書
【補正対象項目名】００１５
【補正方法】変更
【補正の内容】
【００１５】
また、請求項１０に記載の発明は、前記フォーカス枠表示制御手段は、前記入力手段を介した指示に基づいて前記画像表示部の所定の位置にフォーカス枠を移動表示させることを特徴とする請求項６に記載の撮像装置とした。
【手続補正１２】
【補正対象書類名】明細書
【補正対象項目名】００１６
【補正方法】変更
【補正の内容】
【００１６】
また、請求項１１に記載の発明は、被写体光像から撮像素子を介して得られた画像を表示する画像表示工程と、合焦用のフォーカス枠を前記画像上に重畳表示するフォーカス枠表示工程と、前記フォーカス枠内の画像が合焦するようにフォーカスレンズを駆動制御する合焦制御工程と、を有するフォーカス制御方法であって、前記画像中の所定の被写体形状を識別認識する画像認識処理工程と、所定のタイミングを指示するタイミング指示工程と、前記フォーカス枠の状態を変化可能に生成するフォーカス枠生成工程と、を有し前記フォーカス枠生成工程は、画像認識処理手段により識別認識された被写体形状に基づいてフォーカス枠の状態を確定させ、前記フォーカス枠表示制御工程は、前記フォーカス枠生成工程により生成されたフォーカス枠を前記画像上に重畳表示し、前記合焦制御工程は、前記タイミング指示工程により指示された所定のタイミングのときに表示されているフォーカス枠内の画像が合焦するようにフォーカスレンズを駆動制御することを特徴とするフォーカス制御方法とした。
【手続補正１３】
【補正対象書類名】明細書
【補正対象項目名】００１７
【補正方法】変更
【補正の内容】
【００１７】
また、請求項１２に記載の発明は、被写体光像から撮像素子を介して得られた画像を表示する画像表示工程と、合焦用のフォーカス枠を前記画像上に重畳表示するフォーカス枠表示工程と、前記フォーカス枠内の画像が合焦するようにフォーカスレンズを駆動制御する合焦制御工程と、を有するフォーカス制御方法であって、所定の指示を入力する入力工程と、所定のタイミングを指示するタイミング指示工程と、前記フォーカス枠の状態を変化可能に生成するフォーカス枠生成工程と、を有し、前記フォーカス枠生成工程は、前記入力工程による所定の指示に基づいてフォーカス枠の状態を変化させ、前記フォーカス枠表示制御工程は、前記フォーカス枠生成工程により生成されたフォーカス枠を前記画像上に重畳表示し、前記合焦制御工程は、前記タイミング指示工程により指示された所定のタイミングのときに表示されているフォーカス枠内の画像が合焦するようにフォーカスレンズを駆動制御することを特徴とするフォーカス制御方法とした。
【手続補正１４】
【補正対象書類名】明細書
【補正対象項目名】００１８
【補正方法】変更
【補正の内容】
【００１８】
また、請求項１３に記載の発明は、コンピュータに、被写体光像から撮像素子を介して得られた画像を表示させる画像表示制御手段と、合焦用のフォーカス枠を前記画像上に重畳表示させるフォーカス枠表示制御手段と、前記フォーカス枠内の画像が合焦するようにフォーカスレンズを駆動制御させる合焦制御手段と、を実行させるフォーカス制御プログラムであって、前記画像中の所定の被写体形状を識別認識する画像認識処理手段と、所定のタイミングを指示するタイミング指示手段と、前記フォーカス枠の状態を変化可能に生成するフォーカス枠生成手段と、を実行させ、前記フォーカス枠生成手段は、画像認識処理手段により識別認識された被写体形状に基づいてフォーカス枠の状態を確定させ、前記フォーカス枠表示制御手段は、前記フォーカス枠生成手段により生成されたフォーカス枠を前記画像表示部に表示させ、前記合焦制御手段は、前記タイミング指示手段により指示された所定のタイミングのときに前記画像表示部に表示されているフォーカス枠内の画像が合焦するようにフォーカスレンズを駆動制御させることを特徴とするフォーカス制御プログラムとした。
【手続補正１５】
【補正対象書類名】明細書
【補正対象項目名】００１９
【補正方法】変更
【補正の内容】
【００１９】
また、請求項１４に記載の発明は、コンピュータに、被写体光像から撮像素子を介して得られた画像を表示させる画像表示制御手段と、合焦用のフォーカス枠を前記画像上に重畳表示させるフォーカス枠表示制御手段と、前記フォーカス枠内の画像が合焦するようにフォーカスレンズを駆動制御させる合焦制御手段と、を実行させるフォーカス制御プログラムであって、所定の指示を入力させる入力手段と、所定のタイミングを指示させるタイミング指示手段と、前記フォーカス枠の状態を変化可能に生成させるフォーカス枠生成手段と、を実行させ、前記フォーカス枠生成手段は、前記入力手段により入力された指示に基づいてフォーカス枠の状態を変化させ、前記フォーカス枠表示制御手段は、前記フォーカス枠生成手段により生成されたフォーカス枠を前記画像上に重畳表示させ、前記合焦制御手段は、前記タイミング指示手段により指示された所定のタイミングのときに前記画像表示部に表示されているフォーカス枠内の画像が合焦するようにフォーカスレンズを駆動制御させることを特徴とするフォーカス制御プログラムとした。
【手続補正１６】
【補正対象書類名】明細書
【補正対象項目名】００２０
【補正方法】変更
【補正の内容】
【００２０】
本発明によれば、簡単なキー操作もしくは認識処理による被写体の認識結果に基づいて、フォーカス枠の表示状態、例えば、フォーカス枠の回転、フォーカス枠の置換、伸縮、移動等の制御を行ってフォーカス枠内の画像にピントを合わせることができるので、ピントが被写体でなく背景に合う現象（いわゆる「中抜け」）、が生じない。請求項１〜請求項４、請求項１１、および請求項１３に記載の発明によれば、画像認識処理による被写体形状の認識結果に基づいてフォーカス枠の状態の制御を行うことができる。また、請求項５に記載の発明によれば、被写体形状や位置の変化に追従させてフォーカス枠を自動的に変化させることができるので、被写体形状や位置が変化してもピントがずれない。また、請求項６〜請求項１０、請求項１２、および請求項１４に記載の発明によれば、ユーザによる簡単なキー操作に基づく指示によりフォーカス枠の状態の制御を行うことができる。